【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
バイポーラ電池であって：
少なくとも１つのバイポーラ電極であって、それぞれが電導性シートの片側に第一の電気化学的に活性な材料を含んでなる正極、およびシートの反対側に第二の電気化学的に活性な材料を含んでなる負極をそれぞれが有する、バイポーラ電極；
固体イオン伝導性ポリマー材料をそれぞれが含んでなる複数の電解質層；
末端負極と末端正極の双方であって、末端負極は、隣接し間に電解質が挟まれた第１のバイポーラ電極上に配置された正極の反対側に位置し、末端正極は、隣接し間に電解質が挟まれた第２のバイポーラ電極上に配置された負極の反対側に位置する、末端負極と末端正極の双方；、
を含んでなり、
固体イオン伝導性ポリマー材料が室温で１×１０-4Ｓ／ｃｍより大きいイオン伝導度を有し、そして少なくとも１つのカチオン性拡散イオンおよびアニオン性拡散イオンの両方を含んでなり、少なくとも１つの拡散イオンが室温で可動性である、上記バイポーラ電池。
【請求項２】
各正極および隣接負極が、電解質層も含むサブ−スタックを含んでなり、各サブ−スタックが電導性シートにより隣接するサブ−スタックと離れており、各サブ−スタックが電圧を有し、そして各サブ−スタックの電圧が３ボルト以下である、請求項１に記載のバイポーラ電池。
【請求項３】
第一の電気化学的に活性な材料が、亜鉛、アルミニウム、リチウムまたはインターカレーション物質からなる群から選択される、請求項１に記載のバイポーラ電池。
【請求項４】
第二の電気化学的に活性な材料が、二酸化マンガン、硫黄またはインターカレーション物質を含んでなる請求項１に記載のバイポーラ電池。
【請求項５】
さらに第二のサブ−スタックを含み、第二のサブ−スタックは第２のセパレータ層を有し、第二負極層および第二正極層の間に位置する固体イオン伝導性ポリマー電解質を含み、ここで、第二のサブ−スタックは前記第一のサブースタックに隣接し且つイオン的ではなく電気的に連絡するように配置され、さらに、第二のサブ−スタックに隣接する第三の集電体層を含んでなる、請求項１に記載のバイポーラ電池。
【請求項６】
各正極が固体イオン伝導性ポリマー材料を含んでなる、請求項１に記載のバイポーラ電池。
【請求項７】
各負極が固体イオン伝導性ポリマー材料を含んでなる、請求項１に記載のバイポーラ電池。
【請求項８】
電池の電圧が８ボルトより高く、そして末端正極と末端負極との間の距離が６ミリメートル未満である、請求項１に記載のバイポーラ電池。
【請求項９】
電解質層が押し出される、請求項１に記載のバイポーラ電池。
【請求項１０】
正極が押し出される、請求項１に記載のバイポーラ電池。
【請求項１１】
固体イオン伝導性ポリマー材料が３０％より高い結晶化度を含んでなる、請求項１に記載の電池。
【請求項１２】
固体イオン伝導性ポリマー材料の電導率が室温で１×１０-8Ｓ／ｃｍ未満である、請求項１に記載のバイポーラ電池。
【請求項１３】
固体イオン伝導性ポリマー材料の融解温度が２５０℃より高い、請求項１に記載のバイポーラ電池。
【請求項１４】
固体イオン伝導性ポリマー材料が熱可塑性である、請求項１に記載のバイポーラ電池。
【請求項１５】
固体イオン伝導性ポリマー材料のイオン伝導性が等方性である、請求項１に記載のバイポーラ電池。
【請求項１６】
固体イオン伝導性ポリマー材料のヤング率が３．０ＭＰａ以上である、請求項１に記載のバイポーラ電池。
【請求項１７】
固体イオン伝導性ポリマー材料が８０℃で１×１０-3Ｓ／ｃｍより大きいイオン伝導度を有する、請求項１に記載のバイポーラ電池。
【請求項１８】
固体イオン伝導性ポリマー材料が−４０℃で１×１０-5Ｓ／ｃｍより大きいイオン伝導度を有する、請求項１に記載のバイポーラ電池。
【請求項１９】
固体イオン伝導性ポリマー材料のカチオン輸率が０．５より高く、そして１．０未満である、請求項１に記載のバイポーラ電池。
【請求項２０】
少なくとも１つのアニオン性拡散イオンが水酸化物、フッ素またはホウ素を含んでなる、請求項１に記載のバイポーラ電池。
【請求項２１】
１リットルの固体イオン伝導性ポリマー材料あたり少なくとも１モルのカチオン性拡散イオンが存在する、請求項１に記載のバイポーラ電池。
【請求項２２】
少なくとも１つの電解質層がフィルムに形成され、フィルムの厚さが２００から１０マイクロメートルの間である、請求項１に記載のバイポーラ電池。
【請求項２３】
第一の電気化学的に活性な材料が、ニッケル、コバルトまたはマンガンを含んでなる酸化リチウムを含んでなる、請求項１に記載のバイポーラ電池。
【請求項２４】
第一の電気化学的に活性な材料が電導性材料および固体イオン伝導性ポリマー材料と混合される、請求項１に記載のバイポーラ電池。
【請求項２５】
正極が７０〜９０重量パーセントの第一の電気化学的に活性な材料を含んでなる、請求項１に記載のバイポーラ電池。
【請求項２６】
正極が４〜１５重量パーセントの固体イオン伝導性ポリマー材料を含んでなる、請求項１に記載のバイポーラ電池。
【請求項２７】
第一の電気化学的に活性な材料が、リチウムニッケルコバルトアルミニウム酸化物、リチウムニッケルコバルトマンガン酸化物、リン酸鉄リチウム、リチウムマンガン酸化物、リン酸コバルトリチウム、またはリチウムマンガンニッケル酸化物、リチウムコバルト酸化物、ＬｉＴｉＳ2、ＬｉＮｉＯ2またはそれらの組み合わせからなる群から選択される、請求項１に記載のバイポーラ電池。
【請求項２８】
第一の電気化学的に活性な材料が、固体状態の酸化還元反応でリチウムと反応する電気化学的に活性な正極化合物を含んでなる、請求項１に記載のバイポーラ電池。
【請求項２９】
第一の電気化学的に活性な材料が、ハロゲン化金属、硫黄、セレン、テルル、ヨウ素、ＦｅＳ2またはＬｉ2Ｓからなる群から選択される、請求項１に記載のバイポーラ電池。
【請求項３０】
第二の電気化学的に活性な材料がリチウム金属を含んでなる、請求項１に記載のバイポーラ電池。
【請求項３１】
電池の充電電圧が１２ボルトより高い、請求項１に記載のバイポーラ電池。
【請求項３２】
電池の充電電圧が２０ボルトより高い、請求項１に記載のバイポーラ電池。
【請求項３３】
第二サイクルのサイクル効率が９９％より高い、請求項１に記載のバイポーラ電池。
【請求項３４】
バイポーラ電池であって：
少なくとも１つのバイポーラ電極おいて、それぞれが電導性シートの片側に第一の電気化学的に活性な材料を含んでなる正極、およびシートのもう一つ側に第二の電気化学的に活性な材料を含んでなる負極をそれぞれが有する、バイポーラ電極；
固体イオン伝導性ポリマー材料をそれぞれが含んでなる複数の電解質層；
末端負極と末端正極の双方、ここで、末端負極は、隣接し間に電解質が挟まれた第１のバイポーラ電極上に配置された正極の反対側に位置し、末端正極は、隣接し間に電解質が挟まれた第２のバイポーラ電極上に配置された負極の反対側に位置する、ものである；、
を含んでなり、
固体イオン伝導性ポリマー材料が室温でガラス状態を示し、そして少なくとも１つのカチオン性拡散イオンおよびアニオン性拡散イオンの両方を含んでなり、少なくとも１つの拡散イオンがガラス状態で可動性である、上記バイポーラ電池。